(57)【要約】【課題】ベルト取付治具をコンパクトな構成にするとともに、プーリに対する損傷を防止することが可能なベルト取付治具を提供する。【解決手段】ベルト取付治具４０６は、Ｖリブドベルト４の張力によってクランクプーリ２の外周側に押圧されるプーリ押圧部４０７と、プーリ押圧部４０７のクランクプーリ２外周側を覆う弾性を有する保護層４７１と、Ｖリブドベルト４を引っ掛けて保持するベルト保持部４０８と、クランクプーリ２の外周上に沿わせているＶリブドベルト４をクランクプーリ２の外周に対して押圧するベルト押さえ部４０９とを備えている。【選択図】図２３
2016145641.tif 000002
【特許請求の範囲】
【請求項１】
第一プーリと第二プーリの間に、周長方向に伸縮可能なベルトを、前記第一プーリと前記第二プーリの軸間距離を固定したまま掛巻するに際し、前記第一プーリの外周に設置して使用する、ベルト取付治具であって、
前記第一プーリの外周上に配置され、上記ベルトが掛けられて、このベルトの張力によって前記第一プーリの外周側に押圧される、プーリ押圧部と、
当該ベルト取付治具を前記第一プーリの外周に設置した際に前記第一プーリの外周に接するように、前記プーリ押圧部の前記第一プーリ外周側に設けられた、弾性を有する保護層と、
このプーリ押圧部に掛けられた上記ベルトのうち前記第一プーリの外周上から外れている部分を引っ掛けて保持する、ベルト保持部と、
前記第一プーリの外周に対して対向するように配置され、上記プーリ押圧部に掛けられた上記ベルトのうち前記第一プーリの外周上に沿わせている部分を前記第一プーリの外周に対して押圧する、ベルト押さえ部と、
を備えたベルト取付治具。
【請求項２】
前記保護層が樹脂により成形されている、請求項１に記載のベルト取付治具。
【請求項３】
前記保護層を成形する樹脂が軟質塩化ビニルである、請求項２に記載のベルト取付治具。
【請求項４】
前記保護層は、中空のチューブ形状をしており、前記プーリ押圧部に嵌め込まれている、請求項１〜３の何れか一項に記載のベルト取付治具。
【請求項５】
前記保護層の厚みが１ｍｍ以上、３ｍｍ以下である、請求項１〜４の何れか一項に記載のベルト取付治具。
【発明の詳細な説明】
【技術分野】
【０００１】
本発明は、複数のプーリ間にベルトを巻き掛ける際に使用するベルト取付治具に関する。
【背景技術】
【０００２】
一般に、複数のプーリにベルトを巻掛けてなるベルト伝動機構では、プーリ間で確実に動力を伝達させるために、装着対象であるプーリ間のレイアウト周長よりもベルト周長を短くしてベルトに強い張力がかかるようにしている。
【０００３】
このようにプーリ間のレイアウト周長よりもベルト周長が短いベルトをプーリ間に巻掛ける作業は手間がかかることがある。この手間を軽減させるために、特許文献１には、ベルトを周方向に伸長させてプーリ外周に巻掛ける作業を補助する治具が開示されている。
【０００４】
例えば、特許文献１に開示されているベルト取付治具は、巻き掛けられたベルトの張力によって第一プーリの外周に対して押圧されるプーリ押圧部と、ベルトを引っ掛けて保持するベルト保持部と、第一プーリの外周上に沿わせたベルトを第一プーリの外周に対して押圧するベルト押さえ部とを備えた構成をしている。このベルト取付治具を使用することにより、ベルトを周方向に伸長させて第一プーリの外周に巻掛ける作業が容易になる。
【先行技術文献】
【特許文献】
【０００５】
【特許文献１】特許第５２７１９３０号公報
【発明の概要】
【発明が解決しようとする課題】
【０００６】
しかしながら、上記ベルト取付治具を使用する際に、プーリ押圧部は、ベルトの張力によって第一プーリの外周に対して押圧される（図７参照）。その結果、プーリ押圧部と第一プーリの外周とが過度に接触し、プーリ押圧部及び第一プーリの外周面のめっき剥がれや損傷が生じてしまう場合がある。
【０００７】
そこで、本発明は、上記のような課題を解決するためになされたものであり、その目的は、ベルト取付治具をコンパクトな構成にするとともに、プーリに対する損傷を防止することが可能なベルト取付治具を提供することにある。
【課題を解決するための手段及び効果】
【０００８】
上記課題を解決するための発明のベルト取付治具は、第一プーリと第二プーリの間に、周長方向に伸縮可能なベルトを、前記第一プーリと前記第二プーリの軸間距離を固定したまま掛巻するに際し、前記第一プーリの外周に設置して使用する、ベルト取付治具であって、前記第一プーリの外周上に配置され、上記ベルトが掛けられて、このベルトの張力によって前記第一プーリの外周側に押圧される、プーリ押圧部と、
当該ベルト取付治具を前記第一プーリの外周に設置した際に前記第一プーリの外周に接するように、前記プーリ押圧部の前記第一プーリ外周側に設けられた、弾性を有する保護層と、
このプーリ押圧部に掛けられた上記ベルトのうち前記第一プーリの外周上から外れている部分を引っ掛けて保持する、ベルト保持部と、
前記第一プーリの外周に対して対向するように配置され、上記プーリ押圧部に掛けられた上記ベルトのうち前記第一プーリの外周上に沿わせている部分を前記第一プーリの外周に対して押圧する、ベルト押さえ部と、
を備えている。
【０００９】
上記構成によれば、プーリ押圧部は、ベルトの高い張力を利用してベルト取付治具を第一プーリの外周に対して強力に固定する機能を発揮する。また、ベルト保持部とベルト押さえ部の存在によりベルトは問題なくプーリ押圧部のプーリ径方向外側に位置することとなるので、ベルト保持部とベルト押さえ部は、ベルト取付治具を第一プーリの外周に対して強力に固定する機能を安定して発揮させる役割を担っている。
また、弾性を有する保護層が、ベルト取付治具を第一プーリの外周に設置した際に第一プーリの外周に接するように、プーリ押圧部の第一プーリ外周側に設けられている。これにより、プーリ押圧部にベルトが掛けられ、プーリ押圧部が第一プーリの外周側に押圧された場合、弾性を有する保護層が第一プーリの外周に直接接触するため、第一プーリの外周に対する損傷、及び、プーリ押圧部に対する損傷を防止することができる。また、弾性を有する保護層は、ベルト取付治具が第一プーリに対して滑る（位置ズレ）のを抑制することができる。
【００１０】
また、本発明のベルト取付治具は、前記保護層が、樹脂により成形されていてもよい。
【００１１】
上記構成によれば、保護層を樹脂により成形しているため汎用性の点で優れている。
【００１２】
また、本発明のベルト取付治具は、前記保護層を成形する樹脂が、軟質塩化ビニルであってもよい。
【００１３】
上記構成によれば、保護層を軟質塩化ビニルにより成形しているため、製造コスト・加工性で優れている。
【００１４】
また、本発明のベルト取付治具は、前記保護層が、中空のチューブ形状をしており、前記プーリ押圧部に嵌め込まれていてもよい。
【００１５】
上記構成によれば、プーリ押圧部全体を、チューブ形状をした保護層によって覆うことができる。これにより、プーリ押圧部全体を保護することができる。
また、プーリ押圧部に保護層を取り付ける際の作業性も向上する。
【００１６】
また、本発明のベルト取付治具は、前記保護層の厚みが、１ｍｍ以上、３ｍｍ以下であってもよい。
【００１７】
保護層の厚みが１ｍｍ未満であると、ベルト取付治具の繰り返しの使用により保護層に亀裂が発生する場合がある。保護層の厚みが３ｍｍを超えると、保護層の厚みが増し、プーリ押圧部に保護層を取り付ける際の作業性が低下してしまう場合がある。
そこで、上記構成により、保護層の厚みを１ｍｍ以上、３ｍｍ以下にすることにより、プーリ押圧部に保護層を取り付ける際の作業性を低下させずに、保護層の強度を高めることができる。
【発明の効果】
【００１８】
本発明によれば、ベルト取付治具をコンパクトな構成にするとともに、プーリに対する損傷を防止することが可能なベルト取付治具を提供することができる。
【図面の簡単な説明】
【００１９】
【図１】エンジン本体の部分斜視図
【図２】第一プーリの断面図
【図３】ベルト取付治具の斜視図
【図４】ベルト取付治具の六面図
【図５】第一プーリの外周にベルト取付治具が設置された状態を示す図
【図６】第一プーリの外周にベルト取付治具が設置された状態を、図５と別の角度から示す図
【図７】第一プーリの外周にベルト取付治具が設置され、ベルトがセットされた状態を示す図
【図８】ベルト取付治具の使用方法の第一説明図
【図９】図８の９線矢視図であって、ベルト取付治具の使用方法の第二説明図
【図１０】ベルト取付治具の使用方法の第三説明図
【図１１】ベルト取付治具の使用方法の第四説明図
【図１２】ベルト取付治具の使用方法の第五説明図
【図１３】図１２の１３線矢視図であって、ベルト取付治具の使用方法の第六説明図
【図１４】ベルト取付治具の使用方法の第七説明図
【図１５】図７（ｂ）に類似する図であって、本願発明の第二実施形態を示す図
【図１６】図７（ｂ）に類似する図であって、本願発明の第三実施形態を示す図
【図１７】本願発明の第四実施形態に係るベルト取付治具の斜視図
【図１８】第一プーリの外周に本願発明の第四実施形態に係るベルト取付治具が設置された状態を示す図
【図１９】第一プーリの外周に本願発明の第四実施形態に係るベルト取付治具が設置され、ベルトがセットされた状態を示す図
【図２０】本願発明の第四実施形態に係るベルト取付治具の使用方法の説明図
【図２１】本願発明の第五実施形態に係るベルト取付治具の斜視図
【図２２】第一プーリの外周に本願発明の第五実施形態に係るベルト取付治具が設置された状態を示す図
【図２３】本願発明の第六実施形態に係るベルト取付治具の斜視図
【図２４】第一プーリの外周に本願発明の第六実施形態に係るベルト取付治具が設置された状態を示す図
【図２５】本願発明の第七実施形態に係るベルト取付治具の斜視図
【図２６】第一プーリの外周に本願発明の第七実施形態に係るベルト取付治具が設置された状態を示す図
【図２７】本願発明の第八実施形態に係るベルト取付治具の斜視図
【図２８】第一プーリの外周に本願発明の第八実施形態に係るベルト取付治具が設置された状態を示す図
【発明を実施するための形態】
【００２０】
（第一実施形態）
以下、図面を参照しつつ、本願発明の第一実施形態を説明する。本実施形態に係るベルト取付治具は、クランクプーリとオルタネータのオルタネータプーリとの間にＶリブドベルトを掛巻するのに用いている。先ず、図１を参照しつつ、クランクプーリとオルタネータプーリに対するＶリブドベルトの掛巻を説明し、図２を参照しつつ、クランクプーリの構造を説明する。
【００２１】
図１に示されるように、エンジン本体１には、エンジンのクランク軸に連結されるクランクプーリ２（第一プーリ）と、オルタネータの入力軸に連結されるオルタネータプーリ３（第二プーリ）と、が所定の軸間距離を隔てて回転自在に支持される。このクランクプーリ２とオルタネータプーリ３との間には、実線と破線で示すＶリブドベルト４が掛巻され、もって、クランク軸の動力が、クランクプーリ２、Ｖリブドベルト４、オルタネータプーリ３を順に介してオルタネータの入力軸に伝動されるようになっている。本実施形態では、クランクプーリ２とオルタネータプーリ３との間の軸間距離は変更不能とされ、また、図示するように、Ｖリブドベルト４に対して張力を付与する所謂オートテンショナ（張力付与手段）は搭載しない。
【００２２】
図２に示すように、クランクプーリ２は、Ｖリブドベルト４の内周に形成されるリブと嵌合可能なプーリ溝２ａを有し、このプーリ溝２ａをプーリ軸方向で挟む一対のプーリフランジ２ｂを備えている。このプーリフランジ２ｂは、図２の断面視で、上記プーリ溝２ａよりプーリ径方向外側へ若干、突出して形成されている。また、クランクプーリ２のボス部５には、エンジンの図示しないクランク軸が挿入される。符号２ｃは、クランクプーリ２の側面を示す。なお、上記のＶリブドベルト４は、その周長方向において若干伸縮可能な所謂低モジュラスベルトである。
【００２３】
なお、図１の太線矢印ＰはＶリブドベルト４の走行方向を示し、この走行方向にＶリブドベルト４が走行するときのクランクプーリ２の回転方向を第一回転方向Ａと、この第一回転方向Ａと反対の方向を第二回転方向Ｂと、定義する。
【００２４】
次に、図３〜図６を参照しつつ、本実施形態に係るベルト取付治具６の構成を説明する。図３（ａ）〜（ｄ）は、夫々、ベルト取付治具６を異なる方向から見た斜視図である。図４（ａ）はベルト取付治具６の正面図である。図４（ｂ）はベルト取付治具６の平面図である。図４（ｃ）はベルト取付治具６の底面図である。図４（ｄ）はベルト取付治具６の左側面図である。図４（ｅ）はベルト取付治具６の右側面図である。図４（ｆ）はベルト取付治具６の背面図である。このように図３〜図４には、コンパクトであってまとまりよく形成されたベルト取付治具６が様々な方向から描かれている。
【００２５】
図５〜図６に示されるように、本実施形態に係るベルト取付治具６は、プーリ押圧部７と、ベルト保持部８と、ベルト押さえ部９と、保護層７１と、を主たる構成として備える。このベルト取付治具６は、更に、第一当接部１０（当接部）と、第二当接部１１（当接部）と、を備える。このベルト取付治具６は、クランクプーリ２の外周に設置して使用するものであって、図５に示すように、ベルト保持部８がプーリ押圧部７よりも第一回転方向Ａ側となりベルト押さえ部９がプーリ押圧部７よりも第二回転方向Ｂ側となるように向きを定めて用いる。以下、説明の便宜上、図１で定義した第一回転方向Ａと第二回転方向Ｂを適宜に用いて説明を行う。即ち、図５〜図６における符号Ａ、Ｂは、図１に示されるクランクプーリ２の第一回転方向Ａ、第二回転方向Ｂに夫々、対応している。
【００２６】
上記のプーリ押圧部７やベルト保持部８、ベルト押さえ部９は、図５に示すように、プーリ周方向に延びる連結部１２によって相互に連結されている。この連結部１２は、プーリ径方向においてクランクプーリ２とは重複せず、プーリ軸方向においてクランクプーリ２と隣接する位置で円弧状に板金形成されて成る。なお、図５の状態にベルトを追加したものを図７（ａ）に示すので、以降にＶリブドベルト４に関する記述が出てきたときは、適宜、図７（ａ）も併せて参照されたい。
【００２７】
上記のプーリ押圧部７は、クランクプーリ２の外周（プーリ溝２ａに相当する。以下同様。）上に配置され、上記Ｖリブドベルト４が掛けられて、このＶリブドベルト４の張力によってクランクプーリ２の外周に対して押圧されるものである。このプーリ押圧部７は、図６（ｂ）に示すように、上記の連結部１２と一体的に形成された板部７ａと、この板部７ａのクランクプーリ２側に設けられ、プーリ押圧部７とクランクプーリ２の外周との間の摩擦力を向上するための摩擦部材７ｂと、を備えて構成される。摩擦部材７ｂは、板部７ａに対して溶接固定されており、クランクプーリ２の外周に対する接触面積を十分に確保すべく円弧状に形成され、その内周面は平坦とされ、プーリ溝２ａの幅に相当する幅を有する（図７（ｂ）も併せて参照。）。この摩擦部材７ｂは、例えば、適宜の表面処理が施された金属材料や、ゴム、ポリウレタン等のエラストマー、ポリエチレンやポリアミド等の合成樹脂で形成されるのが好ましい。
【００２８】
また、図３〜図４に示すように、プーリ押圧部７の摩擦部材７ｂの内周面側、即ち、摩擦部材７ｂのクランクプーリ２側には、摩擦部材７ｂの内周面全体を覆うように保護層７１が設けられている。保護層７１はシート形状をしており、粘着テープ等により、摩擦部材７ｂの内周面に貼り付けられている。この保護層７１は、図７（ｂ）に示すように、ベルト取付治具６をクランクプーリ２の外周に設置した際にクランクプーリ２の外周に当接するように配置されている。
【００２９】
本実施形態では保護層７１は、弾性を有する軟質塩化ビニルにより成形されている。なお、保護層７１に使用する材料としては、弾性を有するものであればよく、例えば、軟質塩化ビニルなどの樹脂、エンジニアリングプラスチック、各種繊維、紙、木などが挙げられる（弾性がない金属などは適切ではない）。また、保護層７１の厚みは１〜３ｍｍの範囲で全体に均一であることが望ましく、特に２ｍｍ以下であることが好ましい。これは、保護層７１の厚みが１ｍｍ未満であると、ベルト取付治具６の繰り返しの使用により保護層７１に亀裂が発生する場合があり、一方で、保護層７１の厚みが３ｍｍを超えると、保護層７１の厚みが増し、プーリ押圧部７に保護層７１を取り付ける際の作業性が低下してしまうからである。
【００３０】
また、保護層７１のプーリ押圧部７への取付け方法としては、本実施形態では、粘着テープにより貼り付けているが、これに限らず、ディップコーティング、チューブ状の保護層７１をプーリ押圧部７に嵌め込む、予め成型した保護層７１をプーリ押圧部７に係合することにより取り付ける、固形ではない（液状、ジェル状）材料（樹脂等）をプーリ押圧部７に塗布し乾燥することにより形成するなどの方法が挙げられる。
【００３１】
上記のベルト保持部８は、上記のプーリ押圧部７に掛けられたＶリブドベルト４のうちクランクプーリ２の外周上から外れている部分４ａ（図７（ａ）参照）を引っ掛けて保持するものである。このベルト保持部８は、図５に示すように連結部１２の第一回転方向Ａ側端部に配置され、連結部１２と一体的に形成されている。このベルト保持部８の更に第一回転方向Ａ側端部には、上述した第一当接部１０がベルト保持部８と一体的に形成されている。そして、ベルト保持部８と第一当接部１０は、プーリ軸方向からみたとき、クランクプーリ２の外周から内周へ向かって半円の円弧を描くように湾曲しており、この湾曲は第一回転方向Ａ方向に向かって凸となっている。
【００３２】
上記のベルト押さえ部９は、クランクプーリ２の外周に対して対向するように配置され、上記プーリ押圧部７に掛けられた上記Ｖリブドベルト４のうちクランクプーリ２の外周上に沿わせている部分４ｂ（図７（ａ）参照）をクランクプーリ２の外周に対して押圧するものである。このベルト押さえ部９は、図５に示すように連結部１２の第二回転方向Ｂ側端部に配置されており、図６（ａ）に示すように、連結部１２と一体的に形成された板部９ａと、この板部９ａのクランクプーリ２側に設けられる肉盛り部９ｂと、を備えて構成される。肉盛り部９ｂは、板部９ａに溶接固定されており、プーリ幅に相当する幅を有する。また、図６（ａ）に示すように、ベルト押さえ部９（肉盛り部９ｂ）とクランクプーリ２の外周との間にはＶリブドベルト４の厚みに相当する間隙Ｓが確保されており、この間隙ＳにＶリブドベルト４が挿入されるようになっている。本実施形態において間隙Ｓは、図６（ｂ）に示すようにプーリ押圧部７の摩擦部材７ｂに設けられた保護層７１をクランクプーリ２の外周に密着させた状態でＶリブドベルト４のベルト厚みよりも若干薄くなるように調整されており、もって、ベルト取付治具６の使用時、ベルト押さえ部９はＶリブドベルト４をクランクプーリ２の外周に対して強力に押圧するようになっている。また、図５に示すように、プーリ押圧部７とベルト押さえ部９の間には間隙Ｕが確保されており、もって、図７に示すように、プーリ押圧部７のプーリ径方向外側に掛けられたＶリブドベルト４はベルト押さえ部９のプーリ径方向内側に潜り込むことができるようになっている。また、このベルト押さえ部９の連結部１２と反対側の端部には、図６（ｂ）に示すように、上記の第二当接部１１が形成されている。この第二当接部１１は、ベルト押さえ部９の板部９ａと一体的に形成されており、クランクプーリ２の側面２ｃと面接触できるようにベルト押さえ部９の板部９ａに対して略直角の関係となっている。
【００３３】
以上に説明したように、本実施形態では、第一当接部１０とベルト保持部８、連結部１２、プーリ押圧部７の板部７ａ、ベルト押さえ部９の板部９ａ、第二当接部１１は、鉄鋼板材を板金加工によって一体的に形成しており、そこに、プーリ押圧部７の摩擦部材７ｂやベルト押さえ部９の肉盛り部９ｂが溶接され、更に、摩擦部材７ｂの内周面側に保護層７１が取り付けられることでベルト取付治具６が構成されている。
【００３４】
また、上記の説明では、ベルト保持部８と第一当接部１０を別部材として取り扱ったが、両者の明確な境界線は特に存在しないことに留意されたい。
【００３５】
また、図６（ａ）及び（ｂ）に示すように、第一当接部１０と第二当接部１１は、クランクプーリ２をプーリ軸方向において挟み、これら第一当接部１０と第二当接部１１がクランクプーリ２の各側面２ｃに当接することで、クランクプーリ２の外周に対するベルト取付治具６のプーリ軸方向における高度な位置決めが実現されている。
【００３６】
また、図６（ｂ）に示すように、ベルト取付治具６をプーリ径方向でみたとき、プーリ押圧部７と連結部１２、ベルト押さえ部９によってプーリ軸方向に開口するＵ字形状が認められる。以降の説明において、このＵ字形状の底に該当する連結部１２の縁は、符号１２ａを付して称することとする。図７に示すように、この縁１２ａは、クランクプーリ２の外周からプーリ軸方向にズレた位置にあるＶリブドベルト４をクランクプーリ２の外周へと導くようになっており、従って、Ｖリブドベルト４は連結部１２の縁１２ａに対して高い圧力で当接することとなる。
【００３７】
＜使用方法＞
次に、図７〜図１４を参照しつつ、上記のベルト取付治具６の使用方法を説明する。先ず、図８及び図９に示されるように、クランクプーリ２のボス部５にレンチ１３の円筒形状である連結部１３ａを連結し、クランクプーリ２を手動で自由に回転できるようにして
おく。
【００３８】
＜手順（ａ）＞
次に、図８及び図９に示すように、上記Ｖリブドベルト４をオルタネータプーリ３に掛巻すると共に、上記Ｖリブドベルト４が、図７（ａ）に示すように、プーリ押圧部７のプーリ径方向外側からベルト押さえ部９のプーリ径方向内側を通過し、更に、ベルト保持部８に引っ掛けられた状態となるように、ベルト取付治具６をクランクプーリ２の外周に設置する。このとき、図７（ｂ）に示すように、プーリ押圧部７の摩擦部材７ｂに設けられた保護層７１は、プーリ径方向においてはプーリ溝２ａと当接し、プーリ軸方向においては一対のプーリフランジ２ｂに挟まれる関係とする。プーリ押圧部７の摩擦部材７ｂに設けられた保護層７１がプーリ軸方向において一対のプーリフランジ２ｂに挟まれるという上記関係は、ベルト取付治具６のプーリ軸方向における位置決めと位置ズレ防止に寄与する。なお、このとき、レンチ１３の柄がベルト取付治具６とクランクプーリ２の中心を挟んで反対側に位置するようにすると上記の作業がやり易い。
【００３９】
上記の状態で、Ｖリブドベルト４は、図７に示すように、ベルト保持部８からプーリ押圧部７を介してベルト押さえ部９に至るに際し、プーリ径方向で見てクランクプーリ２の外周とは平行でない斜めの経路を採る。また、図９に示すように、Ｖリブドベルト４は、クランクプーリ２の側面２ｃに対して符号ｐで示す二箇所で当接する。
【００４０】
＜手順（ｂ）＞
次に、図１０に示すように、クランクプーリ２の外周に上記Ｖリブドベルト４が直接的に掛巻される掛巻角度θが大きくなるように、レンチ１３を用いてクランクプーリ２を第一回転方向Ａに回転させる。
【００４１】
すると、Ｖリブドベルト４には、図７（ａ）に示すように、伸張されることにより高い張力Ｔが発生する。この張力Ｔは、上記Ｖリブドベルト４が図示の通りプーリ押圧部７のプーリ径方向外側を通過しているので、図７（ｂ）において白抜き矢印で示すように、プーリ押圧部７をクランクプーリ２の外周に対して強力に押圧する押圧作用として働く。この際、弾性を有する保護層７１がクランクプーリ２の外周に直接接触するため、クランクプーリ２の外周に対する損傷、及び、プーリ押圧部７に対する損傷を防止することができる。また、保護層７１は、ベルト取付治具６がクランクプーリ２に対して滑る（位置ズレ）のを抑制する機能も果たす。
【００４２】
継続してクランクプーリ２を同一方向に回転させると、Ｖリブドベルト４とクランクプーリ２の側面２ｃとの上述した当接関係がベルト保持部８によって強制的に解除され、図１１において破線と実線で示すように、ベルト保持部８に引っ掛けられて保持されていた上記Ｖリブドベルト４は、自己の張力によってベルト保持部８を離れ、クランクプーリ２の外周上へと自発的に移動する。
【００４３】
更にクランクプーリ２を同一方向に回転させると、図１２及び図１３に示すように、プーリ押圧部７がＶリブドベルト４とクランクプーリ２の外周によって挟持される関係が消失し、例えば図１３に示すように、ベルト取付治具６はクランクプーリ２の外周から離脱可能となる。更にクランクプーリ２を同一方向に回転させると、ベルト取付治具６は、図１４に示すように、Ｖリブドベルト４にぶら下がった状態でクランクプーリ２からオルタネータプーリ３へ向かって吐き出される。ベルト取付治具６は、このとき回収すればよい。
【００４４】
（効果）
上記構成によれば、プーリ押圧部７は、Ｖリブドベルト４の高い張力を利用してベルト取付治具６をクランクプーリ２の外周に対して強力に固定する機能を発揮する。また、ベルト保持部８とベルト押さえ部９の存在によりＶリブドベルト４は問題なくプーリ押圧部７のプーリ径方向外側に位置することとなるので、ベルト保持部８とベルト押さえ部９は、ベルト取付治具６をクランクプーリ２の外周に対して強力に固定する機能を安定して発揮させる役割を担っている。
また、弾性を有する保護層７１が、ベルト取付治具６をクランクプーリ２の外周に設置した際にクランクプーリ２の外周に接するように、プーリ押圧部７のクランクプーリ２外周側に設けられている。これにより、プーリ押圧部７にＶリブドベルト４が掛けられ、プーリ押圧部７がクランクプーリ２の外周側に押圧された場合、弾性を有する保護層７１がクランクプーリ２の外周に直接接触するため、クランクプーリ２の外周に対する損傷、及び、プーリ押圧部７に対する損傷を防止することができる。また、保護層７１は、ベルト取付治具６がクランクプーリ２に対して滑る（位置ズレ）のを抑制する機能も果たす。
【００４５】
また、上記構成によれば、保護層７１を樹脂により成形しているため汎用性の点で優れている。更に、保護層７１を軟質塩化ビニルにより成形しているため、製造コスト・加工性で優れている。
【００４６】
また、上記構成では、保護層７１の厚みを１ｍｍ以上、３ｍｍ以下にすることにより、プーリ押圧部７に保護層７１を取り付ける際の作業性を低下させずに、保護層７１の強度を高めることができる。
【００４７】
（第二実施形態）
次に、図１５を参照しつつ、本願発明の第二実施形態を説明する。以下、本実施形態が上記第一実施形態と相違する点を中心に説明し、重複する説明は適宜、割愛する。
【００４８】
上記第一実施形態では、板部７ａのクランクプーリ２側に、内周面が平坦な摩擦部材７ｂ、及び、保護層７１を設けることとした。しかし、この摩擦部材７ｂ及び保護層７１に代えて、クランクプーリ２のプーリ溝２ａに対して嵌合可能な嵌合突起７ｃ（保護層）を設けてもよい。ここで、嵌合突起７ｃは、上述した保護層７１と同様の役割を果たし、本実施形態において嵌合突起７ｃは、弾性を有する軟質塩化ビニルにより成形されている。なお、嵌合突起７ｃに使用する材料としては、弾性を有するものであればよく、例えば、軟質塩化ビニルなどの樹脂、エンジニアリングプラスチック、各種繊維、紙、木などを使用してもよい。
【００４９】
上記のように、プーリ押圧部７は、クランクプーリ２側に、クランクプーリ２が外周に有するプーリ溝２ａに対して嵌合する嵌合突起７ｃ（保護層）を有する。これによれば、クランクプーリ２に対するベルト取付治具６の位置ズレを高いレベルで抑制することができる。特に、クランクプーリ２に対するベルト取付治具６のプーリ軸方向における位置ズレを極めて高いレベルで抑制することができる。
【００５０】
（第三実施形態）
次に、図１６を参照しつつ、本願発明の第三実施形態を説明する。以下、本実施形態が上記第一実施形態と相違する点を中心に説明し、重複する説明は適宜、割愛する。
【００５１】
即ち、上記第一実施形態では、板部７ａのクランクプーリ２側に、摩擦部材７ｂ、及び、保護層７１を設けることとしたが、これに代えて、図１６（ａ）や（ｂ）に示すように、プーリ軸方向においてプーリフランジ２ｂと当接可能な平板状のフランジ当接部７ｄ（保護層７１に相当）を設けることとしてもよい。そして、このフランジ当接部７ｄは、板部７ａに対して溶接固定されている。本実施形態においてフランジ当接部７ｄは、木製であるが、使用する材料としては、弾性を有するものであればよく、例えば、軟質塩化ビニルなどの樹脂、エンジニアリングプラスチックなどを使用してもよい。このフランジ当接部７ｄの厚みは、プーリフランジ２ｂのプーリ溝２ａからの突出高さｈと等しくなっており、従って、フランジ当接部７ｄは、プーリ溝２ａと一対のプーリフランジ２ｂによって区画される空間にちょうど収容され、プーリ溝２ａとプーリフランジ２ｂに対して接触する。この構成によれば、クランクプーリ２に対するベルト取付治具６のプーリ軸方向における位置ズレを高いレベルで抑制することができる。
【００５２】
（第四実施形態）
次に、図１７〜図２０を参照しつつ、本願発明の第四実施形態に係るベルト取付治具２０６の構成を説明する。なお、第一実施形態と同様の箇所は説明を省略する。図１７（ａ）〜（ｄ）は、夫々、ベルト取付治具２０６を異なる方向から見た斜視図である。図１８は、クランクプーリ２の外周にベルト取付治具２０６が設置された状態を示す図である。図１９は、クランクプーリ２の外周にベルト取付治具２０６が設置され、Ｖリブドベルト４がセットされた状態を示す図である。図２０は、ベルト取付治具２０６の使用方法の説明図である。
【００５３】
図１７〜図１８に示されるように、本実施形態に係るベルト取付治具２０６は、プーリ押圧部２０７と、ベルト保持部２０８と、ベルト押さえ部２０９と、保護層２７１と、を主たる構成として備える。このベルト取付治具２０６は、更に、第三当接部２１０（当接部）と、第四当接部２１１（当接部）と、を備える。
【００５４】
本実施形態の保護層２７１は、樹脂製（軟質塩化ビニル）で、内部が中空のチューブ形状をしており、プーリ押圧部２０７に嵌め込まれていることによりプーリ押圧部２０７全体を覆っている。なお、保護層２７１の内部形状は、プーリ押圧部２０７よりも若干小さ目に成形されていることが好ましい。この場合、弾性により伸縮性がある保護層２７１をプーリ押圧部２０７に嵌め込んだ際に、保護層２７１のプーリ押圧部２０７に対する密着性が高まり、ベルト取付治具２０６を使用する際に、保護層２７１がプーリ押圧部２０７から外れてしまうことを防止することができる。
【００５５】
このベルト取付治具２０６は、クランクプーリ２の外周に設置して使用するものであって、図１８に示すように、ベルト保持部２０８がプーリ押圧部２０７よりも第一回転方向Ａ側となりベルト押さえ部２０９がプーリ押圧部２０７よりも第二回転方向Ｂ側となるように向きを定めて用いる。以下、第一実施形態と同様に図１で定義した第一回転方向Ａと第二回転方向Ｂを適宜に用いて説明を行う。
【００５６】
上記のプーリ押圧部２０７やベルト保持部２０８、ベルト押さえ部２０９は、図１７〜図１８に示すように、プーリ周方向に延びる連結部２１２によって相互に連結されている。この連結部２１２は、プーリ径方向においてクランクプーリ２とは重複せず、プーリ軸方向においてクランクプーリ２と隣接する位置で円弧状に板金形成されて成る。なお、図１８の状態にベルトを追加したものを図１９に示すので、以降にＶリブドベルト４に関する記述が出てきたときは、適宜、図１９も併せて参照されたい。
【００５７】
上記の保護層２７１が嵌め込まれたプーリ押圧部２０７は、クランクプーリ２の外周（プーリ溝２ａに相当する。以下同様。）上に配置され、Ｖリブドベルト４が掛けられて、このＶリブドベルト４の張力によってクランクプーリ２の外周に対して押圧されるものである。このプーリ押圧部２０７は、連結部２１２と一体的に形成されている。なお、以下では、プーリ押圧部２０７は、チューブ状の保護層２７１が嵌め込まれたものとして説明する。
【００５８】
上記のベルト保持部２０８は、プーリ押圧部２０７に掛けられたＶリブドベルト４のうちクランクプーリ２の外周上から外れている部分４ａ（図１９参照）を引っ掛けて保持するものである。このベルト保持部２０８は、連結部２１２の第一回転方向Ａ側端部に配置され、連結部２１２と一体的に形成されている。このベルト保持部２０８の更に第一回転方向Ａ側端部には、上述した第三当接部２１０がベルト保持部２０８と一体的に形成されている。そして、ベルト保持部２０８と第三当接部２１０は、プーリ軸方向からみたとき、連結部２１２に対してクランクプーリ２の内側方向に折り曲がった形状をしている。また、第三当接部２１０の側面２１０ａは、クランクプーリ２の側面２ｃと面接触している。
【００５９】
上記のベルト押さえ部２０９は、クランクプーリ２の外周に対して対向するように配置され、上記プーリ押圧部２０７に掛けられた上記Ｖリブドベルト４のうちクランクプーリ２の外周上に沿わせている部分４ｂ（図１９参照）をクランクプーリ２の外周に対して押圧するものである。このベルト押さえ部２０９は、図１８に示すように連結部２１２の第二回転方向Ｂ側に配置されており、連結部２１２と一体的に形成されている。また、ベルト押さえ部２０９とクランクプーリ２の外周との間にはＶリブドベルト４の厚みに相当する間隙Ｓが確保されており、この間隙ＳにＶリブドベルト４が挿入されるようになっている。また、図１８に示すように、プーリ押圧部２０７とベルト押さえ部２０９の間には間隙Ｕが確保されている。これにより、図１９に示すように、プーリ押圧部２０７のプーリ径方向外側に掛けられたＶリブドベルト４はベルト押さえ部２０９のプーリ径方向内側に潜り込むことができるようになっている。
【００６０】
また、上記の第四当接部２１１は、連結部２１２の第二回転方向Ｂ側端部に配置され、連結部２１２と一体的に形成されている。そして、第四当接部２１１は、プーリ軸方向からみたとき、連結部２１２に対してクランクプーリ２の内側方向に折り曲がった形状をしている。また、この第四当接部２１１の側面２１１ａは、クランクプーリ２の側面２ｃと面接触している。なお、第四当接部２１１の中央付近には穴２３０が開けられている。この穴２３０には紐２３１を通すことが可能である。そして、この穴２３０に通された紐２３１をレンチ１３に結びつけることにより、ベルト取付治具６がレンチ１３から落下するのを防止することができる。
【００６１】
＜使用方法＞
次に、図１９〜図２０を参照しつつ、上記のベルト取付治具２０６の使用方法を説明する。先ず、図２０に示されるように、クランクプーリ２のボス部５にレンチ１３の円筒形状である連結部１３ａを連結し、クランクプーリ２を手動で自由に回転できるようにしておく。
【００６２】
次に、図１９及び図２０に示すように、上記Ｖリブドベルト４をオルタネータプーリ３に掛巻すると共に、上記Ｖリブドベルト４が、図１９に示すように、プーリ押圧部２０７のプーリ径方向外側からベルト押さえ部２０９のプーリ径方向内側を通過し、更に、ベルト保持部２０８に引っ掛けられた状態となるように、ベルト取付治具２０６をクランクプーリ２の外周に設置する。
【００６３】
上記の状態で、Ｖリブドベルト４は、図１９に示すように、ベルト保持部２０８からプーリ押圧部２０７を介してベルト押さえ部２０９に至るに際し、プーリ径方向で見てクランクプーリ２の外周とは平行でない斜めの経路を採る。ここで、プーリ押圧部２０７はクランクプーリ２の外周に対して強力に押圧する。この際、弾性を有する保護層２７１がクランクプーリ２の外周に直接接触するため、クランクプーリ２の外周に対する損傷、及び、プーリ押圧部２０７に対する損傷を防止することができる。また、保護層２７１は、ベルト取付治具２０６がクランクプーリ２に対して滑る（位置ズレ）のを抑制する機能も果たす。この後の手順は第一実施形態と同様であるため説明を割愛する。
【００６４】
以上に説明したように、第四実施形態では、第三当接部２１０とベルト保持部２０８、連結部２１２、プーリ押圧部２０７、ベルト押さえ部２０９、第四当接部２１１は、鉄鋼板材を板金加工によって一体的に形成することでベルト取付治具２０６が構成されている。
【００６５】
また、上記の説明では、ベルト保持部２０８と第三当接部２１０を別部材として取り扱ったが、両者の明確な境界線は特に存在しないことに留意されたい。
【００６６】
（効果）
上記構成によれば、プーリ押圧部２０７全体を、チューブ形状をした保護層２７１によって覆うことができる。これにより、プーリ押圧部２０７全体を保護することができる。また、プーリ押圧部２０７に保護層２７１を取り付ける際の作業性も向上する。
【００６７】
（第五実施形態）
次に、図２１〜図２２を参照しつつ、第五実施形態に係るベルト取付治具３０６の構成を説明する。なお、第四実施形態と同様の箇所は説明を省略し、相違する構成を中心に説明する。図２１（ａ）〜（ｄ）は、夫々、ベルト取付治具３０６を異なる方向から見た斜視図である。図２２は、クランクプーリ２の外周にベルト取付治具３０６が設置された状態を示す図である。
【００６８】
図２１〜図２２に示されるように、このベルト取付治具３０６は、第四実施形態と同様に、プーリ押圧部３０７と、ベルト保持部３０８と、ベルト押さえ部３０９と、保護層３７１と、を主たる構成として備える。プーリ押圧部３０７やベルト保持部３０８、ベルト押さえ部３０９は、図２２に示すように、プーリ周方向に延びる連結部３１２によって相互に連結されている。このベルト取付治具３０６は、更に、第三当接部３１０（当接部）と、第四当接部３１１（当接部）と、を備える。なお、第四当接部３１１の中央付近には穴３３０が開けられている。
【００６９】
そして、第四実施形態とは異なり、ベルト押さえ部３０９の連結部３１２と反対側の端部には、図２１〜図２２に示すように、第六当接部３１６が形成されている。この第六当接部３１６は、ベルト押さえ部３０９と一体的に形成されており、クランクプーリ２の側面２ｃと面接触できるようにベルト押さえ部３０９に対して略直角の関係となっている。
【００７０】
以上に説明したように、第五実施形態では、図２１及び図２２に示すように、ベルト押さえ部３０９に第六当接部３１６が形成されているところに特徴がある。この第六当接部３１６と第三当接部３１０及び第四当接部３１１とが、クランクプーリ２をプーリ軸方向において挟み、この第六当接部３１６と第三当接部３１０及び第四当接部３１１とがクランクプーリ２の各側面２ｃに当接することで、クランクプーリ２の外周に対するベルト取付治具３０６のプーリ軸方向における高度な位置決めが実現されている。
【００７１】
（第六実施形態）
次に、図２３〜図２４を参照しつつ、第六実施形態に係るベルト取付治具４０６の構成を説明する。なお、第四実施形態と同様の箇所は説明を省略し、相違する構成を中心に説明する。図２３（ａ）〜（ｄ）は、夫々、ベルト取付治具４０６を異なる方向から見た斜視図である。図２４は、クランクプーリ２の外周にベルト取付治具４０６が設置された状態を示す図である。
【００７２】
図２３〜図２４に示されるように、このベルト取付治具４０６は、第四実施形態と同様に、プーリ押圧部４０７と、ベルト保持部４０８と、ベルト押さえ部４０９と、保護層４７１と、を主たる構成として備える。プーリ押圧部４０７やベルト保持部４０８、ベルト押さえ部４０９は、図２４に示すように、プーリ周方向に延びる連結部４１２によって相互に連結されている。このベルト取付治具４０６は、更に、第三当接部４１０（当接部）と、第四当接部４１１（当接部）と、を備える。なお、第四当接部４１１の中央付近には穴４３０が開けられている。
【００７３】
そして、第四実施形態とは異なり、プーリ押圧部４０７は、図２３に示すように、クランクプーリ２の外周と接するようにクランクプーリ２側に２箇所の折り目４０７ａ・４０７ｂに沿って折り曲げられた形状をしている。即ち、プーリ押圧部４０７の内周面４０７ｃが、プーリフランジ２ｂのプーリ溝２ａからの突出高さ分だけクランクプーリ２の外周に接近した状態になる。なお、チューブ形状をした保護層４７１は、プーリ押圧部４０７の内周面４０７ｃを覆うように嵌め込まれている。そして、保護層４７１で覆われたプーリ押圧部４０７の内周面側４０７ｃとクランクプーリ２の外周との間の摩擦力を向上させるために、プーリ押圧部４０７はクランクプーリ２の外周に対する接触面積を十分に確保すべく円弧状に形成され、その内周面４０７ｃは平坦とされ、プーリ溝２ａの幅に相当する幅を有する。
【００７４】
また、ベルト押さえ部４０９も、図２３に示すように、クランクプーリ２側に２箇所の折り目４０９ａ・４０９ｂに沿って折り曲げられた形状をしている。また、ベルト押さえ部４０９の内周面４０９ｃとクランクプーリ２の外周との間にはＶリブドベルト４の厚みに相当する間隙Ｓが確保されており、この間隙ＳにＶリブドベルト４が挿入されるようになっている。なお、ベルト押さえ部４０９の内周面４０９ｃは、プーリフランジ２ｂのプーリ溝２ａからの突出高さ分から間隙Ｓ分を引いた距離だけクランクプーリ２の外周に接近した状態になっている。
【００７５】
以上に説明したように、第六実施形態では、図２３及び図２４に示すように、プーリ押圧部４０７及びベルト押さえ部４０９が、クランクプーリ２側に２箇所の折り目４０７ａ・４０７ｂ（折り目４０９ａ・４０９ｂ）に沿って折り曲げられた形状をしているところに特徴がある。以上の構成によれば、図２に示すように、クランクプーリ２のプーリ溝２ａとプーリフランジ２ｂとの間に段差がある場合でも、プーリ押圧部４０７の２箇所の折り目４０７ａ・４０７ｂをプーリフランジ２ｂのプーリ溝２ａからの突出高さ分だけ折り曲げることで、保護層４７１で覆われたプーリ押圧部４０７の内周面側４０７ｃをクランクプーリ２の外周に当接させることができる。即ち、保護層４７１で覆われたプーリ押圧部４０７とクランクプーリ２の外周とが当接するので、クランクプーリ２にベルト取付治具４０６を安定的に設置することができる。また、同様に、ベルト押さえ部４０９の２箇所の折り目４０９ａ・４０９ｂを折り曲げることで、ベルト押さえ部４０９の内周面４０９ｃをＶリブドベルト４ｂに当接させることができる。即ち、ベルト押さえ部４０９とクランクプーリ２の外周に沿わせたＶリブドベルト４ｂとが当接するので、クランクプーリ２にベルト取付治具４０６を安定的に設置することができる。
【００７６】
（第七実施形態）
次に、図２５〜図２６を参照しつつ、第七実施形態に係るベルト取付治具５０６の構成を説明する。なお、第六実施形態と同様の箇所は説明を省略し、相違する構成を中心に説明する。図２５（ａ）〜（ｄ）は、夫々、ベルト取付治具５０６を異なる方向から見た斜視図である。図２６は、クランクプーリ２の外周にベルト取付治具５０６が設置された状態を示す図である。
【００７７】
図２５〜図２６に示されるように、このベルト取付治具５０６は、第六実施形態と同様に、プーリ押圧部５０７と、ベルト保持部５０８と、ベルト押さえ部５０９と、保護層５７１と、を主たる構成として備える。プーリ押圧部５０７やベルト保持部５０８、ベルト押さえ部５０９は、図２５に示すように、プーリ周方向に延びる連結部５１２によって相互に連結されている。このベルト取付治具５０６は、更に、第三当接部５１０（当接部）と、第四当接部５１１（当接部）と、を備える。なお、第四当接部５１１の中央付近には穴５３０が開けられている。また、プーリ押圧部５０７は、図２５に示すように、クランクプーリ２の外周と接するようにクランクプーリ２側に２箇所の折り目５０７ａ・５０７ｂに沿って折り曲げられた形状をしている。また、ベルト押さえ部５０９も、図２５に示すように、クランクプーリ２側に２箇所の折り目５０９ａ・５０９ｂに沿って折り曲げられた形状をしている。
【００７８】
そして、第六実施形態とは異なり、プーリ押圧部５０７の連結部５１２と反対側の端部には、図２５〜図２６に示すように、第五当接部５１５が形成されている。この第五当接部５１５は、プーリ押圧部５０７と一体的に形成されており、クランクプーリ２の側面２ｃと面接触できるようにプーリ押圧部５０７に対して略直角の関係となっている。本実施形態においてチューブ形状をした保護層５７１は、プーリ押圧部５０７だけを覆うように嵌め込まれている（なお、チューブ形状をした保護層５７１は、プーリ押圧部５０７及び第五当接部５１５を一体的に覆うように嵌め込まれていても良い）。また、ベルト押さえ部５０９の連結部５１２と反対側の端部には、図２５〜図２６に示すように、第六当接部５１６が形成されている。この第六当接部５１６は、ベルト押さえ部５０９と一体的に形成されており、クランクプーリ２の側面２ｃと面接触できるようにベルト押さえ部５０９に対して略直角の関係となっている。
【００７９】
以上に説明したように、第七実施形態では、図２５及び図２６に示すように、プーリ押圧部５０７及びベルト押さえ部５０９にそれぞれ第五当接部５１５及び第六当接部５１６が形成されているところに特徴がある。この第五当接部５１５及び第六当接部５１６と第三当接部５１０及び第四当接部５１１とが、クランクプーリ２をプーリ軸方向において挟み、これら第五当接部５１５及び第六当接部５１６と第三当接部５１０及び第四当接部５１１とがクランクプーリ２の各側面２ｃに当接することで、クランクプーリ２の外周に対するベルト取付治具５０６のプーリ軸方向における高度な位置決めが実現されている。
【００８０】
（第八実施形態）
次に、図２７〜図２８を参照しつつ、第八実施形態に係るベルト取付治具６０６の構成を説明する。なお、第四実施形態と同様の箇所は説明を省略し、相違する構成を中心に説明する。図２７（ａ）〜（ｄ）は、夫々、ベルト取付治具６０６を異なる方向から見た斜視図である。図２８は、クランクプーリ２の外周にベルト取付治具６０６が設置された状態を示す図である。
【００８１】
図２７〜図２８に示されるように、このベルト取付治具６０６は、第四実施形態と同様に、プーリ押圧部６０７と、ベルト保持部６０８と、ベルト押さえ部６０９と、保護層６７１と、を主たる構成として備える。プーリ押圧部６０７やベルト保持部６０８、ベルト押さえ部６０９は、図２７に示すように、プーリ周方向に延びる連結部６１２によって相互に連結されている。
【００８２】
そして、このベルト取付治具６０６は、第四実施形態と異なり、第三当接部６１０（当接部）だけを備える（すなわち、第四当接部を備えない）。また、第四実施形態とは異なり、ベルト押さえ部６０９の連結部６１２と反対側の端部には、図２７〜図２８に示すように、第六当接部６１６が形成されている。この第六当接部６１６は、ベルト押さえ部６０９と一体的に形成されており、クランクプーリ２の側面２ｃと面接触できるようにベルト押さえ部６０９に対して略直角の関係となっている。
【００８３】
以上に説明したように、第八実施形態では、図２７及び図２８に示すように、クランクプーリ２の各側面２ｃに対して当接する一対の当接部としての第三当接部６１０と第六当接部６１６とを備えたところに特徴がある。この第三当接部６１０と第六当接部６１６とが、クランクプーリ２をプーリ軸方向において挟み、これら第三当接部６１０と第六当接部６１６とがクランクプーリ２の各側面２ｃに当接することで、クランクプーリ２の外周に対するベルト取付治具６０６のプーリ軸方向における高度な位置決めが実現されている。
【００８４】
以上、本発明の実施形態について説明したが、本発明は上述の実施の形態に限られるものではなく、特許請求の範囲に記載した限りにおいて様々に変更して実施することができるものである。
【００８５】
例えば、上記第四〜第八実施形態では、チューブ形状の保護層２７１、３７１、４７１、５７１、６７１を、プーリ押圧部に嵌め込む構成に関して説明したが、これに限らず、第一実施形態同様に、保護層のプーリ押圧部への取付け方法として、シート状の保護層を粘着テープによりプーリ押圧部の内周面（クランクプーリ２の外周側）に貼り付けてもよいし、プーリ押圧部に対してディップコーティングにより保護層を形成してもよいし、予め成型した保護層をプーリ押圧部に係合することにより取り付けてもよいし、固形ではない（液状、ジェル状）材料（樹脂等）をプーリ押圧部に塗布し乾燥することにより保護層を形成してもよい。
【符号の説明】
【００８６】
２  クランクプーリ
３  オルタネータプーリ
４  Ｖリブドベルト
６  ベルト取付治具
７  プーリ押圧部
８  ベルト保持部
９  ベルト押さえ部
７１  保護層
【図１】
2016145641.tif 000003
【図２】
2016145641.tif 000004
【図３】
2016145641.tif 000005
【図４】
2016145641.tif 000006
【図５】
2016145641.tif 000007
【図６】
2016145641.tif 000008
【図７】
2016145641.tif 000009
【図８】
2016145641.tif 000010
【図９】
2016145641.tif 000011
【図１０】
2016145641.tif 000012
【図１１】
2016145641.tif 000013
【図１２】
2016145641.tif 000014
【図１３】
2016145641.tif 000015
【図１４】
2016145641.tif 000016
【図１５】
2016145641.tif 000017
【図１６】
2016145641.tif 000018
【図１７】
2016145641.tif 000019
【図１８】
2016145641.tif 000020
【図１９】
2016145641.tif 000021
【図２０】
2016145641.tif 000022
【図２１】
2016145641.tif 000023
【図２２】
2016145641.tif 000024
【図２３】
2016145641.tif 000025
【図２４】
2016145641.tif 000026
【図２５】
2016145641.tif 000027
【図２６】
2016145641.tif 000028
【図２７】
2016145641.tif 000029
【図２８】
2016145641.tif 000030